(57)【特許請求の範囲】
【請求項１】
表示画像データを生成するために必要な薬剤及び処方監査関連情報を抽出し、
薬剤毎の項目を表示する薬剤欄と、処方監査関連情報の項目を表示する処方監査関連情報欄と、所定の薬剤の項目と所定の処方監査関連情報の項目とに該当する処方監査関連情報の数を表示する交差欄と、を表示部に表示させる、制御部を備え、
前記交差欄に表示される処方監査関連情報の数は、抽出した前記薬剤及び前記処方監査関連情報に基づいて、薬剤毎にどれだけの処方監査関連情報があるかを示したものである、
マトリクス表示装置。
【請求項２】
薬剤毎の項目を表示する薬剤欄と、処方監査関連情報の項目を表示する処方監査関連情報欄と、所定の薬剤の項目と所定の処方監査関連情報の項目との交差欄と、処方監査関連情報の具体的な情報を表示する具体情報欄とを表示部に表示し、
前記薬剤欄、前記処方監査関連情報欄及び交差欄のうちの少なくとも一の欄の選択を受け付けて、前記選択された欄に基づいて、前記具体情報欄に具体的な情報を表示部に表示する、
マトリクス表示装置。
【請求項３】
前記交差欄の選択を受け付けた場合には、前記薬剤欄又は前記処方監査関連情報欄の選択を受け付けた場合よりも、多くの具体的な情報を表示する、
請求項２に記載のマトリクス表示装置。
【請求項４】
前記薬剤欄又は前記処方監査関連情報欄の選択においては選択範囲の段階的な選択が可能である、
請求項２又は３に記載のマトリクス表示装置。
【請求項５】
前記処方監査関連情報の項目は、特定の来院時の処方せんに記載された薬剤と他の薬剤とが警告又は禁忌に該当することを示す禁忌欄である、
請求項２乃至４何れかに記載のマトリクス表示装置。
【請求項６】
表示画像データを生成するために必要な薬剤及び処方監査関連情報を抽出するステップ、
薬剤毎の項目を表示する薬剤欄と、処方監査関連情報の項目を表示する処方監査関連情報欄と、所定の薬剤の項目と所定の処方監査関連情報の項目とに該当する処方監査関連情報の数を表示する交差欄と、を表示部に表示させるステップ、
をコンピュータの制御部において実行させ、
前記交差欄に表示される処方監査関連情報の数は、抽出した前記薬剤及び前記処方監査関連情報に基づいて、薬剤毎にどれだけの処方監査関連情報があるかを示したものである、
プログラム。
【請求項７】
薬剤毎の項目を表示する薬剤欄と、処方監査関連情報の項目を表示する処方監査関連情報欄と、所定の薬剤の項目と所定の処方監査関連情報の項目との交差欄と、処方監査関連情報の具体的な情報を表示する具体情報欄とを表示部に表示し、
前記薬剤欄、前記処方監査関連情報欄及び交差欄のうちの少なくとも一の欄の選択を受け付けて、前記選択された欄に基づいて、前記具体情報欄に具体的な情報を表示部に表示する、
ステップをコンピュータに実行させる、プログラム。
【発明の詳細な説明】
【技術分野】
【０００１】
本発明は、薬剤情報の表示装置及びプログラムに関する。
【背景技術】
【０００２】
情報処理技術の発展は、薬剤を調剤し提供する薬局等の医療機関にも広く浸透し、利便性を高めている。例えば、従来から医療機関においては、レセプト（診療報酬明細書）の作成を支援するレセコンといったコンピュータが知られており、高度な専門知識や複雑な計算を必要とすることなくレセプトの作成を可能にしている。また、近年では、薬歴等の患者の情報も電子的に管理するシステムが普及している。
【０００３】
なお、従来ではレセコンと薬歴を管理するシステムとがハード的に独立したコンピュータであったため、例えば特許文献１には、レセコン機能と薬歴管理機能とを備えた薬局用コンピュータにおいて、両機能を有効に連携した薬局用コンピュータが開示されている。
【先行技術文献】
【特許文献】
【０００４】
【特許文献１】特開２０１１−１１８５３５号公報
【発明の概要】
【発明が解決しようとする課題】
【０００５】
ところで、患者への調剤を行う際に、処方せんの記載事項及び患者情報・薬歴等をふまえてそのまま薬剤を交付することに疑わしい点があるかを確認する処方監査を行うために、処方せんに記載された薬剤の禁忌等の情報を表示することが行われることがある。しかしながら、処方された薬剤の種類が多数に及ぶと薬剤の禁忌等の情報についても多数表示されることとなり、目的とする情報を効率的に把握することができなかった。その結果、処方監査のために薬剤の禁忌等の情報を表示したとしても、必要な情報を効率的に探せないため、適切な処方監査を迅速に行うことができなくなっていた。
【０００６】
本発明は、このような状況に鑑みてなされたものであり、患者に処方された処方せんに対する処方監査に必要な情報を効率的に把握できるマトリクス表示装置及びプログラムを提供することを目的とする。
【課題を解決するための手段】
【０００７】
（１）薬剤毎の項目を表示する薬剤欄と、処方監査関連情報の項目を表示する処方監査関連情報欄と、所定の薬剤の項目と所定の処方監査関連情報の項目とに該当する処方監査関連情報の数を表示する交差欄と、処方監査関連情報の具体的な情報を表示する具体情報欄とを表示部に表示し、前記薬剤欄、前記処方監査関連情報欄及び交差欄のうちの少なくとも一の欄の選択を受け付けて、前記選択された欄における前記処方監査関連情報の数に基づいて、前記具体情報欄に具体的な情報を表示する、マトリクス表示装置。
【０００８】
なお、薬剤欄、処方監査関連情報欄及び交差欄の選択は、いずれかの一の欄の選択を受け付けて具体的な情報の表示を行えばよく、薬剤欄のみの選択、処方監査関連情報のみの選択、交差欄のみの選択、薬剤欄及び処方監査関連情報欄の選択、薬剤欄及び処方監査関連情報欄の選択、処方監査関連情報欄及び交差欄の選択、又は、薬剤欄と処方監査関連情報欄と交差欄との選択によって具体的な情報を表示するものでもよい。
【０００９】
（２）前記交差欄の選択を受け付けた場合には、前記薬剤欄又は前記処方監査関連情報欄の選択を受け付けた場合よりも、多くの具体的な情報を表示する、（１）に記載のマトリクス表示装置。
【００１０】
（３）前記選択された欄における前記処方監査関連情報の数が所定数未満の場合には、該数が所定数以上の場合によりも、多くの具体的な情報を表示する、（１）又は（２）に記載のマトリクス表示装置。
【００１１】
（４）前記薬剤欄又は前記処方監査関連情報欄の選択においては選択範囲の段階的な選択が可能である、（１）、（２）又は（３）に記載のマトリクス表示装置。
【００１２】
（５）前記処方監査関連情報の項目には、少なくとも、特定の来院時の処方せんに記載された薬剤と他の薬剤とが警告又は禁忌に該当することを示す禁忌欄と、特定の来院時の処方せんに記載された薬剤と推定病名とが警告又は禁忌に該当することを示す推定禁忌欄とが含まれる、（１）、（２）、（３）又は（４）に記載のマトリクス表示装置。
【００１３】
（６）薬剤毎の項目を表示する薬剤欄と、処方監査関連情報の項目を表示する処方監査関連情報欄と、所定の薬剤の項目と所定の処方監査関連情報の項目とに該当する処方監査関連情報の数を表示する交差欄と、処方監査関連情報の具体的な情報を表示する具体情報欄とを表示部に表示し、前記薬剤欄、前記処方監査関連情報欄及び交差欄のうちの少なくとも一の欄の選択を受け付けて、前記選択された欄における前記処方監査関連情報の数に基づいて、前記具体情報欄に具体的な情報を表示する、ステップをコンピュータに実行させる、プログラム。
【発明の効果】
【００１４】
本発明によれば、患者に処方された処方せんに対する処方監査に必要な情報を効率的に把握することができる。
【図面の簡単な説明】
【００１５】
【図１】薬剤表示システムの構成を示す図である。
【図２】薬剤提供業務の概要を示す図である。
【図３】マトリクス表示装置の機能構成を示すブロック図である。
【図４】記憶部の処方せんＤＢを示す図である。
【図５】記憶部の病名ＤＢを示す図である。
【図６】記憶部の添付文書ＤＢを示す図である。
【図７】マトリクス表示装置に表示される表示画面の一例を示す図である。
【図８】マトリクス表示装置に表示される表示画面の一例を示す図である。
【図９】マトリクス表示装置に表示される表示画面の一例を示す図である。
【図１０】マトリクス表示装置に表示される表示画面の一例を示す図である。
【図１１】マトリクス表示装置に表示される表示画面の一例を示す図である。
【図１２】薬剤表示システムの処理の流れを示すフローチャートである。
【発明を実施するための形態】
【００１６】
以下、図面を参照して、本発明の一の実施形態について説明する。
【００１７】
［薬剤表示システム１００の構成］
図１を参照して、本発明の薬剤表示システム１００は、管理者装置１と薬局側の担当者により用いられるマトリクス表示装置２ａ・・・２ｎ及び、患者に薬剤提供業務の進捗状況を知らせるディスプレイ３と、を含んで構成される。
【００１８】
マトリクス表示装置２ａ・・・２ｎは、薬剤提供業務を構成する各作業の担当者により用いられる端末装置である。
ここで、図２（１）を参照して、薬剤提供業務は、窓口において患者から処方箋を受け付けた後に、処方箋に従い薬剤を調剤し、調剤が適切であると最終監査において認められた場合に、窓口において患者に当該薬剤を提供するといった一連の流れにより構成される。このような薬剤提供業務は、一例として図２（２）に示す各作業、即ち「受付」「薬歴確認」「処方監査」「患者情報収集」「調剤設計」「服薬に関する説明」「調剤決定」「調剤」「最終監査」「薬剤交付会計」により構成することができる。これら各作業は、互いに独立して進行できるものもあり、本実施形態では、これら各作業を複数の担当者により分業することとしている。例えば、薬剤提供業務を構成する各作業のうち、「受付」「患者情報収集」「調剤」「薬剤交付会計」を薬剤師Ａが担当し、「薬歴確認」「処方監査」「調剤設計」「服薬に関する説明」「調剤決定」を薬剤師Ｂが担当し、「最終監査」を薬剤師Ｃが担当することとしている。
このような本実施形態では、例えば、マトリクス表示装置２ａは薬剤師Ａにより用いられ、マトリクス表示装置２ｂは薬剤師Ｂにより用いられ、マトリクス表示装置２ｃは薬剤師Ｃにより用いられることになる。もちろんマトリクス表示装置２ａ・・・２ｎは、一人の担当者により用いられるだけでなく、複数の担当者が共有して用いることとしてもよい。なお、マトリクス表示装置２ａ・・・２ｎの構成は、基本的に同一であるため、以下単に「マトリクス表示装置２」と呼ぶことがある。
【００１９】
管理者装置１は、各担当者を管理する管理者により用いられ、マトリクス表示装置２の機能の拡張、変更、制限等の管理者権限を有する端末装置であり、各種演算処理を行う制御部や各種情報を記憶する記憶部に加え、キーボードやタッチパネル等により実現される入力部及びディスプレイによる表示部を備えた汎用パーソナルコンピュータである。
【００２０】
マトリクス表示装置２は、薬局においてその業務を多面的に支援することを目的としたものであり、管理者装置１と同様に汎用パーソナルコンピュータにより実現される。このようなマトリクス表示装置２は、各種プログラムがインストールされており、制御部がこれらプログラムに従い動作することで、レセコン機能、薬歴管理機能及び業務分担機能のほか、「処方監査」において、薬剤の表示機能を発揮する。なお、薬剤の表示機能とは、処方せんに記載された薬剤の項目、処方監査を行う際の処方監査関連情報の項目及びそれぞれの薬剤にどれだけ処方監査関連情報があるかを示す情報（数）を表示する機能である。これにより、「処方監査」を行う際に、患者に処方された処方せん対する処方監査に必要な情報を効率的に把握することができる。
これら管理者装置１及びマトリクス表示装置２は、所定のネットワーク回線により接続され、互いに協働して患者に対する薬剤の提供業務を支援する。
【００２１】
ディスプレイ３は、薬局を訪れた患者側に向けられて配置され、患者に対して薬剤提供業務の進み具合を示す進捗状況を表示する。ディスプレイ３は、管理者装置１及び／又はマトリクス表示装置２と通信可能に接続され、管理者装置１及び／又はマトリクス表示装置２からの指示に従い、進捗状況を表示する。
【００２２】
［マトリクス表示装置２の機能的構成］
続いて、図３を参照して、マトリクス表示装置２の構成について説明する。マトリクス表示装置２は、制御部２１において、受付手段２１１、抽出手段２１２と、表示生成手段２１３と、表示変更受付手段２１４と、表示変更手段２１５とを有し、記憶部２２の一領域において、処方せんＤＢ２２１と、病名ＤＢ２２２と、添付文書ＤＢ２２３とを有している。
【００２３】
受付手段２１１は、特定の来院時の処方せんの記載を処方せん内容として受け付けて、処方せんＩＤと関連付けて処方せん内容を処方せんＤＢ２２１に記憶する。
ここで、処方せん内容とは、処方せんに記載された内容についての情報及び処方せんの受付に付随して生じる情報であって、例えば、患者氏名等の患者の特定情報、処方された薬剤を示す処方薬剤及び処方せんを薬局が受け付けた日を示す受付日、処方せんに記載された薬剤が当該患者に初めて処方されたかを示す初回投与等をいう。
なお、初回投与は、受付手段２１１が当該患者の過去の処方せん内容を参照して、同一薬剤が所定の期間内に処方されていない場合に、薬剤と関連付けて初回投与であることを示す情報を処方せんＤＢ２２１に記憶されることができる。
受付手段２１１が受け付けた処方せん内容は、後述する抽出手段２１２が患者の過去の処方せん内容を抽出する場合や、表示生成手段２１３が表示画面データを生成する場合に利用される。
【００２４】
抽出手段２１２は、表示画像データを生成するために必要な薬剤及び処方監査関連情報を抽出する。
ここで、処方監査関連情報とは、処方せんの記載事項及び患者情報・薬歴等をふまえてそのまま薬剤を交付することに疑わしい点があるかを確認するための情報であって、例えば、後述する禁忌、推定禁忌、重複、注意及び確認等の処方監査関連情報の項目がある。
具体的には、抽出手段２１２は、受付手段２１１が受け付けた患者氏名等の患者の特定情報に基づいて、過去の処方せん内容を処方せんＤＢ２２１から抽出し、受付手段２１１が受け付けた特定の来院時の処方せん内容及び抽出した過去の処方せん内容に記載された薬剤に基づいて病名ＤＢ２２２から推定病名を抽出し、特定の来院時の処方せん内容、過去の処方せん内容に記載された薬剤及び推定病名に基づいて添付文書ＤＢ２２３から長期投与チェック薬、ハイリスク薬及び使用上の注意を抽出する。
ここで、推定病名、長期投与チェック薬、ハイリスク薬及び使用上の注意は、処方監査関連情報の一つである。推定病名とは、特定の来院時の処方せん及び過去の処方せんに記載された薬剤に基づいて判断する病名であって、現在患者が罹っている可能性があると推定される病名をいう。また、使用上の注意とは、服薬指導を行う際に参考とする、薬剤の投与が禁止・制限される病気や併用薬剤に関する情報であって、その注意の度合いから使用上の注意は、警告、禁忌、原則禁忌、慎重投与等のように段階的に記載されている。
【００２５】
また、図４を参照して、処方せんＤＢ２２１について説明する。処方せんＤＢ２２１は、薬局において受け付けた処方せん内容を記憶するＤＢであって、受付手段２１１が受け付けた処方せん内容を処方せんＩＤと関連付けて記憶するようになっており、抽出手段２１２が処方せんを識別する処方せんＩＤと関連付けて記憶される。
【００２６】
また、図５を参照して、病名ＤＢ２２２について説明する。病名ＤＢ２２２は、薬剤名から推定される病名を記憶するＤＢであって、病名ＩＤ、薬剤名及び病名等を関連付けて記憶する。本実施形態において、病名ＤＢ２２２に記憶される薬剤名及び病名の組み合わせは、後述する添付文書の記載に基づいて予め生成されている。
【００２７】
また、図６を参照して、添付文書ＤＢ２２３について説明する。添付文書ＤＢ２２３は、薬剤の添付文書のデータが項目ごとに薬剤と関連付けて記憶されている。添付文書とは、薬剤において、薬剤名、使用上の注意、品目仕様その他の重要事項を記載した、医師・医療機関関係者向けの製品情報記載書面である。添付文書ＤＢ２２３には、添付文書の項目に対応して、薬剤名のほか、適応症と用法用量を示す効能効果、使用上の注意等の情報等が記載されている。また、特に図示はしないが、添付文書に記載された情報の他、長期投与チェック薬、ハイリスク薬等の添付文書外の項目を設けてもよい。
ここで、使用上の注意とは、服薬指導を行う際に参考とする、添付文書に記載された薬剤の投与が禁止・制限される病気や併用薬剤に関する注意を促す情報であって、その注意の度合いから使用上の注意は、警告、禁忌、原則禁忌、慎重投与等のように段階的に記載されている。なお、警告及び禁忌等は、添付文書において使用上の注意とは独立した項目となっているが、本実施形態においては、使用上の注意に含むように構成してもよい。
【００２８】
図３に戻り、表示生成手段２１３は、受付手段２１１が受け付けた特定来院時の処方せん内容及び抽出手段２１２が抽出した表示画像データを生成するために必要な薬剤及び処方監査関連情報に基づいて表示画面のデータを生成し、表示部２４に出力する。
本実施形態において、表示生成手段２１３が生成する表示画像データは、行軸（横軸）に薬剤の情報をそれぞれ薬剤毎に項目を分けて表示し、列軸（縦軸）に処方監査関連情報をそれぞれ処方監査関連情報毎に項目を分けて表示する。そして、薬剤の項目の行と、処方監査関連情報の項目の列とが交差する欄に、薬剤にどれだけの処方監査関連情報があるかを示す情報（数）を表示する。
行軸に表示する薬剤の情報は、処方が開始された日に基づいて、整列して表示することができ、列軸に表示する処方監査関連情報については、処方監査における重要度に基づいて、整列して表示することができる。
【００２９】
ここで、表示生成手段２１３がこのような表示画面のデータを生成する必要性について説明する。患者への調剤を行う際に、処方せんの記載事項及び患者情報・薬歴等をふまえてそのまま薬剤を交付することに疑わしい点があるかを確認する処方監査を行うために、薬剤の禁忌等の情報を表示することが行われることがある。しかしながら、処方する薬剤の種類が多数に及ぶと薬剤の禁忌等の情報についても多数表示されることとなり、目的とする情報を効率的に把握することができなかった。そのため、薬剤の項目の行と、処方監査関連情報を分類した項目の列とが交差する欄に、薬剤にどのような処方監査関連情報がどれだけあるかを示すことによって処方監査に必要な情報を効率的に把握できる表示画面を表示する必要があった。
【００３０】
ここで、表示生成手段２１３が表示部２４に出力する表示画面データについて図７を参照して説明する。図７は、表示生成手段２１３が生成した表示画面データが表示部２４に表示されたことを示す図であって、表示された画面は、薬剤師「東  太郎」が患者「甲」に対する処方せんの処方監査を行う際に表示される表示画面例である。薬剤師は、この画面を参照して、処方監査を行い、処方せんの記載事項や患者情報・薬歴に基づく処方内容の確認を行う。
【００３１】
表示領域Ｖ１は、受付手段２１１が受け付けた処方せんの内容の薬剤が薬剤の情報をそれぞれ薬剤毎に項目を分けて表示される薬剤欄である。図７においては、薬剤Ａ錠、薬剤Ｂ錠、薬剤Ｃ錠及び薬剤Ｄカプセルが表示されている。
表示領域Ｖ２は、処方監査関連情報をそれぞれ処方監査関連情報毎に項目を分けて表示される処方監査関連情報欄である。処方監査関連情報の項目は、禁忌・推定禁忌・重複・注意・確認の欄が設けられている。
【００３２】
処方監査関連情報の項目は、禁忌及び注意のように、処方せんの記載のみに基づいて判定する情報と、推定禁忌、重複及び確認のように、処方せんの記載より推定した情報に基づいて判定する情報とに更に分類できる。また、処方監査関連情報の項目は、禁忌、推定禁忌及び注意のように添付文書に記載された情報に基づいて判定する情報と、重複及び確認のように添付文書の記載以外の情報に主に基づいて判定する情報とに更に分類できる。
【００３３】
表示領域Ｖ３は、薬剤の行と処方監査関連情報の列とが交差する欄であり、薬剤ごとにどれだけの処方監査関連情報があるかを示す情報（数）が表示される交差欄である。
ここで、薬剤と禁忌とが交差する欄は、特定の来院時の処方せんに記載された所定の薬剤について、添付文書ＤＢ１２１の警告、禁忌又は警告及び禁忌の両方等の比較的危険度の高い項目に、特定の来院時の処方せんに記載された他の薬剤が含まれる場合に、処方監査関連情報のうち禁忌又は警告及び禁忌の両方等の数（禁忌等に含まれる薬剤の数であっても良いし、病名の数であってもよい）が所定の薬剤の行に表示される欄である。
薬剤と推定禁忌とが交差する欄は、特定の来院時の処方せんに記載された所定の薬剤について、添付文書ＤＢ１２１の警告、禁忌又は警告及び禁忌の両方等の比較的危険度の高い項目に、推定病名が含まれる場合に、処方監査関連情報のうち警告、禁忌又は警告及び禁忌の両方等の数（禁忌等に含まれる薬剤の数であっても良いし、病名の数であってもよい）が所定の薬剤の行に表示される欄である。
薬剤と重複とが交差する欄は、同一の推定病名が複数推定される場合に、特定の来院時の処方せんに記載された所定の薬剤について、添付文書ＤＢ１２１の警告、禁忌又は警告及び禁忌の両方等の比較的危険度の高い項目に、複数推定された推定病名が含まれるときに、処方監査関連情報のうち警告、禁忌又は警告及び禁忌の両方等の数が所定の薬剤の行に表示される欄である。
薬剤と注意とが交差する欄は、特定の来院時の処方せんに記載された所定の薬剤について、添付文書ＤＢ１２１の慎重投与等の比較的危険度の低い項目に、特定の来院時の処方せんに記載された他の薬剤が含まれる場合に、処方監査関連情報のうち慎重投与等の数が所定の薬剤の行に表示される欄である。
薬剤と確認とが交差する欄は、特定の来院時の処方せんに記載された所定の薬剤が、長期投与チェック薬、ハイリスク薬、初回処方薬（薬剤が患者に初めて投与される場合）等に該当する場合に、処方監査関連情報のうち長期投与チェック薬、ハイリスク薬、初回処方薬の数が所定の薬剤の行に表示される欄である。
【００３４】
なお、表示領域Ｖ３の更に下の欄には、過去に受け付けた処方せん内容に基づく薬剤について、表示領域Ｖ３と同様に、薬剤欄、処方監査関連情報欄及び交差欄が設けられている。
【００３５】
表示領域Ｖ４は、後述する操作により表示すべき範囲を選択した場合には、処方監査関連情報の具体的な情報が表示される具体情報欄である。なお、表示領域Ｖ４には、何も選択していない場合に、全ての処方監査関連情報の具体的な情報が表示されるようにしてもよい。
ここで、具体情報欄は、処方されている薬剤、注意すべき対象となる薬剤又は病気等、注意すべき対象の処方監査関連情報の項目（禁忌等）等が同一欄として表示したものであり、さらに、処方監査関連情報の項目になぜ該当するかを示す情報も含むようにしてもよい。
一つの欄は、左枠と上枠と下枠とから構成されている。上枠には、注意すべき対象（病気・薬剤等処方監査において薬剤師が注意を払うべき対象）が表示される。なお、注意すべき対象が、過去の情報に基づくものである場合には、「過去」と表示される。下枠には、処方されている薬剤や注意すべき対象の処方監査関連情報の項目が表示される。
例えば、Ｖ４の３段目の欄の上枠には、過去の処方せんで処方されていた薬剤Ｆが表示されており、薬剤Ｆから推定される病名「出血性疾患」が注意すべき対象として表示されている。薬剤Ａは、過去の処方せんに含まれていたもので過去の情報に基づくものであるから「過去」の表示がされている。また、Ｖ４の３段目の欄の下枠には、処方されている薬剤である「薬剤Ａ」と、処方監査関連情報の項目である「禁忌」が表示されており、「筋無力症」の患者に薬剤Ａを投与することが禁忌であることが表示されている。薬剤師は、このような表示に基づいて、処方監査を行う。即ち、患者に出血性疾患に罹っているかを確認して、患者が出血性疾患であると回答した場合には、処方せんを発行した医師に薬剤Ａを交付してよいかの問い合わせを行い、処方せんの妥当性を確認する。
【００３６】
図３に戻り、表示変更受付手段２１４は、具体情報欄に表示する処方監査関連情報の具体的な情報を表示する範囲を選択する操作を入力部２３より受け付ける。具体的には、表示画面において、薬剤欄、処方監査関連情報欄又は交差欄のいずれかを選択する操作を受け付けることによって、変更する操作を入力部２３より受け付ける。
ここで、表示変更受付手段２１４は、薬剤欄を選択した場合には、選択した行を処方監査関連情報の表示範囲とし、処方監査関連情報欄を選択した場合には、選択した列を処方監査関連情報の表示範囲とし、交差欄を選択した場合には交差欄のみを表示範囲として選択することができる。
もっとも、表示変更受付手段２１４は、選択する範囲を段階的に広げる又は狭めることように構成してもよい。
具体例について図８を参照して、説明する。図８においては、薬剤Ａ，Ｂは初回投与の処方せんに記載された薬剤であり、薬剤Ｃ，Ｄは初回投与ではない処方せんに記載された薬剤であり、薬剤Ｅ，Ｆは処方せんに記載されていない過去に処方された薬剤である。この場合に、例えば、処方監査関連情報欄の推定禁忌を１回選択した場合に、Ｖ３ａ、Ｖ３ｂ及びＶ３ｃの領域を選択範囲とし、さらに処方監査関連情報欄の推定禁忌を１回選択した場合に、Ｖ３ａ及びＶ３ｂの領域を選択範囲とし、さらに処方監査関連情報欄の推定禁忌を１回選択した場合に、Ｖ３ａの領域を選択範囲とする。このように、処方監査関連情報欄の選択範囲は段階的な選択が可能である。
また、図示しないが薬剤欄の選択においても同様に、例えば、前述した処方せんの記載のみに基づくか処方せんの記載より推定した情報の分類ごとに若しくは添付文書に記載された情報か否かの分類ごと等のように、選択範囲の段階的な選択が可能である。
これにより、一般的に、以前に処方監査を行ったことがないため、一般的に最も処方監査を行う必要性が高いと考えられる初回投与の薬剤について、まず、選択範囲とすることができ、薬剤師が必要とする可能性の高い情報に絞り込んで表示を行うことができる。
【００３７】
表示変更手段２１５は、表示変更受付手段２１４が受け付けた表示する範囲の選択に応じて、具体情報欄に表示する処方監査関連情報の具体的な情報を変更した表示画面データを生成し、表示部２４に出力する。
なお、具体情報欄に表示する処方監査関連情報の具体的な情報は、表示する処方監査関連情報の具体情報の数に応じて加減してもよい。また、表示変更受付手段２１４が交差欄の選択を受け付けた場合には、処方監査関連情報の具体的な情報について、表示する情報量を増加してもよい。
【００３８】
ここで、表示変更手段２１５が薬剤欄、処方監査関連情報欄又は交差欄のうちのいずれかの選択を受け付けて、選択された欄における処方監査関連情報の具体的な情報を具体情報欄に表示する必要性について説明する。
表示生成手段２１３が、薬剤毎に分類した情報と、処方監査関連項目毎に分類した情報とがどうのように分布されるかの数を表示するために、薬剤師はそれぞれの情報がどのように分布されているかを直感的に把握することできる。しかしながら、処方された薬剤の数が多い場合には、処方監査関連情報の具体的な情報は全て表示されているため、必要とする情報が特定の情報に限られる場合には、目的とする特定の情報を効率的に把握に困難が生じることも多い。例えば、初回投与である薬剤を詳しく処方監査したいと薬剤師が考えたとしても、処方監査関連情報が全て表示されていると、目的とする初回投与の薬剤の処方監査関連情報を効率的に把握することは困難である。また、例えば、より注意すべき度合いの高い禁忌情報を中心に処方監査を行いたいと考えたとしても、処方監査関連情報が全て表示されていると、目的とする禁忌の処方監査関連情報を効率的に把握することは困難である。
そこで、薬剤師が目的とする特定の処方監査関連情報を効率的に把握するために、その目的に応じた範囲を選択させることによって、選択に応じた処方監査関連情報の具体的な情報を、表示させる必要があった。
【００３９】
ここで、表示変更手段２１５が表示部２４に出力する表示画面データについて図９乃至図１１を参照して説明する。
図９は、表示変更手段２１５が生成した表示画面データが表示部２４に表示されたことを示す図であって、表示変更受付手段２１４が薬剤欄を選択する操作を受け付けたことに応じて、生成される表示画面データが表示部２４に出力されていることを示す。
例えば、図９においては、推定禁忌の欄が選択されており、推定禁忌の列が反転表示されている。また、薬剤Ａ、薬剤Ｂ、薬剤Ｃ及び薬剤Ｄの推定禁忌の情報が具体情報欄に表示されている。
このように、選択された薬剤欄における処方監査関連情報の数に基づいて、具体情報欄に具体的な情報を表示する。
【００４０】
図１０は、表示変更手段２１５が生成した表示画面データが表示部２４に表示されたことを示す図であって、表示変更受付手段２１４が処方監査関連情報欄を選択する操作を受け付けたことに応じて、生成される表示画面データが表示部２４に出力されていることを示す。
例えば、図１０においては、薬剤Ｂの欄が選択されており、薬剤Ｂの行が反転表示されている。また、推定禁忌、確認の情報が具体情報欄に表示されている。
このように、選択された処方監査関連情報欄における処方監査関連情報の数に基づいて、具体情報欄に具体的な情報を表示する。
【００４１】
図１１は、表示変更手段２１５が生成した表示画面データが表示部２４に表示されたことを示す図であって、表示変更受付手段２１４が交差欄を選択する操作を受け付けたことに応じて、生成される表示画面データが表示部２４に出力されていることを示す。
例えば、図１１においては、薬剤Ｂと推定禁忌との交差欄が選択されており、薬剤Ｂと推定禁忌との交差欄が反転表示されている。また、薬剤Ｂの推定禁忌の情報が具体情報欄に表示されている。なお、薬剤Ｂの推定禁忌の情報は１つであり、より多くの情報を表示することが可能であるため、薬剤Ｂの推定禁忌について情報量を増加して表示しており、「腎不全の患者［腎機能をさらに悪化させるおそれがある。］」のように、処方監査関連情報の項目になぜ該当するかを示す情報も表示されている。
このように、選択された交差欄における処方監査関連情報の数に基づいて、具体情報欄に具体的な情報を表示し、薬剤欄又は処方監査関連情報欄の選択を受け付けた場合よりも、多くの具体的な情報（例えば、処方監査関連情報の項目になぜ該当するかを示す情報）を表示する。
薬剤師は、この画面を参照して、処方監査を行い、処方せんの記載事項や患者情報・薬歴に基づく処方内容の確認を行う。
【００４２】
［マトリクス表示装置２の動作］
続いて、図１２を参照して、マトリクス表示装置２の動作について説明する。
初めに、受付手段２１１は、特定の来院時の処方せんの記載を処方せん内容として受け付けて、処方せんＩＤと関連付けて処方せん内容を処方せんＤＢ２２１に記憶する（ステップＳ１）。その後、抽出手段２１２は、表示画像データを生成するために必要な薬剤及び病気等に関する情報を抽出する（ステップＳ２）。その後、表示生成手段２１３は、受付手段２１１が受け付けた特定来院時の処方せん内容及び抽出手段２１２が抽出した表示画像データを生成するために必要な薬剤及び病気等に関する情報に基づいて表示画面のデータを生成する。（ステップＳ３）。その後、表示生成手段２１３は、生成した表示画面のデータを表示部２４に出力する。（ステップＳ４）。
【００４３】
その後、表示変更受付手段２１４は、具体情報欄に表示する処方監査関連情報の具体的な情報を変更する操作を入力部２３より受け付ける（ステップＳ５）。その後、表示変更手段２１５は、表示変更受付手段２１４が受け付けた変更する操作に応じて、具体情報欄に表示する処方監査関連情報の具体的な情報を変更した表示画面データを生成する（ステップＳ６）。その後、表示変更手段２１５は、生成した表示画面データを表示部２４に出力する（ステップＳ７）。
【００４４】
以上のように、本実施形態では、薬剤と処方監査関連情報とを項目ごとに表示して、それぞれの交差領域に、該当する情報の数を表示するため、薬剤師が表示された情報のうち、その時に知りたい情報を把握することが容易であり、患者に処方された処方さんに対する処方監査に必要な情報を効率的に把握することができる。
【００４５】
また、本実施形態では、薬剤と処方監査関連情報とを項目ごとに表示して、薬剤師が表示された情報のうちその時に知りたい情報を選択することにより、表示する情報を絞り込むため、薬剤師が知りたい情報を把握することが容易であり、患者に処方された処方せんに対する処方監査導に必要な情報を効率的に把握することができる。
【００４６】
なお、本発明は、上述の実施形態に限定されるものではなく、本発明の目的を達成できる範囲での変形、改良等は本発明に含まれるものである。
【００４７】
また、本願発明は、図３に示す機能的構成を備える端末装置に対して適用することができる。このとき、図３に示す機能的構成を備えるとは、当該機能的構成を実現するソフトウェアを端末装置にインストールすることに加え、所定のサーバにインストールされたソフトウェアを端末装置がネットワークを介して利用可能な状態も含む。即ち、インターネットを通じて顧客にビジネス用アプリケーションを提供する、所謂ＡＳＰサービスについても本願発明を適用することができる。
【００４８】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能がコンピュータに備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００４９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５０】
本実施形態においては、表示生成手段２１３が生成する表示画像データは、行軸（横軸）に薬剤の情報を表示し、列軸（縦軸）に処方監査関連情報についての情報を表示するが、これに限られるものではなく、例えば、行軸に処方監査関連情報を表示し、列軸に薬剤の情報を表示してもよい。
【００５１】
本実施形態においては、交差欄には、数字が数として表示されるが、数量や存在の有無を示すものであればこれに限られるものではなく、例えば、多・中・少のような数量を抽象的に示すものや、○・×のように存在の有無（即ち、数がゼロかゼロでないか）を示すものも数に含まれる。
【符号の説明】
【００５２】
１  管理者装置
２  マトリクス表示装置
３  ディスプレイ
２１  制御部
２２  記憶部
２３  入力部
２４  表示部
２１１  受付手段
２１２  抽出手段
２１３  表示生成手段
２１４  表示変更受付手段
２１５  表示変更手段
２２１  処方せんＤＢ
２２２  病名ＤＢ
２２３  添付文書ＤＢ
【図１】
0005588041.tif 000002
【図２】
0005588041.tif 000003
【図３】
0005588041.tif 000004
【図４】
0005588041.tif 000005
【図５】
0005588041.tif 000006
【図６】
0005588041.tif 000007
【図７】
0005588041.tif 000008
【図８】
0005588041.tif 000009
【図９】
0005588041.tif 000010
【図１０】
0005588041.tif 000011
【図１１】
0005588041.tif 000012
【図１２】
0005588041.tif 000013